(57)【要約】【課題】  薬収容体内に収容された薬の内容を簡単に確認できると共に、その薬が提供された診療機関の診察券と一緒に保管して持ち運びすることができ、また薬収容体内に収容させる薬の種類や、診療科や、使用者等が変更された場合においても、薬収容体を何度も使用できるようにする。【解決手段】  薬を収容させる薬収容体１０において、少なくとも収容させた薬の内容を表示するラベルＲを剥離可能に貼付させると共に、診察券Ｘを取り出し可能に収容させる診察券収容部１５を設けた。【選択図】  図２
0003140972.tif 000002
【実用新案登録請求の範囲】
【請求項１】
薬を収容させる薬収容体において、少なくとも収容させた薬の内容を表示するラベルを剥離可能に貼付させると共に、診察券を取り出し可能に収容させる診察券収容部を設けたことを特徴とする薬収容体。
【請求項２】
請求項１に記載した薬収容体において、薬収容体がプラスチックフィルム又は布で構成されていることを特徴とする薬収容体。
【請求項３】
請求項１又は請求項２に記載した薬収容体において、種類の異なる複数の薬を分離させて収容させる複数の薬収容部が設けられていることを特徴とする薬収容体。
【請求項４】
請求項１〜請求項３の何れか１項に記載した薬収容体において、上記のラベルを薬収容体自体に剥離可能に貼付させると共に、薬収容体自体に診察券収容部を設けたことを特徴とする薬収容体。
【請求項５】
請求項１〜請求項３の何れか１項に記載した薬収容体において、上記のラベルが剥離可能に貼付されると共に診察券収容部が設けられた補助部材を薬収容体に取り付けたことを特徴とする薬収容体。
【請求項６】
請求項１〜請求項５の何れか１項に記載した薬収容体において、この薬収容体を保持するための手提げ部が設けられていることを特徴とする薬収容体。
【考案の詳細な説明】
【技術分野】
【０００１】
この考案は、薬を収容させる薬収容体に係り、薬収容体内に収容された薬の内容を簡単に確認できると共に、その薬が提供された診療機関の診察券と一緒に保管して持ち運びすることができ、また薬収容体内に収容させる薬の種類や、診療科や、使用者等が変更された場合においても、何度も使用できるようにした点に特徴を有するものである。
【背景技術】
【０００２】
従来、病院などの診療機関において患者に薬を提供する場合、一般に、上部が開放された封筒型の薬収容体に薬を収容させると共に、この薬収容体の表面に患者の氏名や、薬の種類、服用方法などの情報を記載し、或いは特許文献１に示されるように、薬の種類、服用方法などの情報を記載したラベルを薬収容体の表面に貼付するようにしている。
【０００３】
ここで、従来の薬収容体は、一般に紙で構成されているため、使用している間に破損しやすく、薬を適切に収容させることが困難になり、また使用後は、薬収容体がごみとして廃棄され、資源の無駄になる等の問題があった。
【０００４】
また、患者によっては、複数の薬が提供されることが多く、複数の薬を単に１つの薬収容体内に収容させると、患者がそれぞれの薬を服用する場合に、薬収容体内に収容された全ての薬を取り出し、薬収容体の表面に表示された薬の種類、服用方法を確認しながら、適切な薬を選択して適切に服用することが必要になり、適切に薬を服用することが非常に面倒であり、また似た形状の薬も存在し、薬の種類を誤って服用するおそれもあった。
【０００５】
このため、従来においては、特許文献２,３に示されるように、複数の封筒紙を連接させて薬収容体を構成し、各封筒紙にそれぞれの薬を収容させると共に、各封筒紙にそれぞれ収容された薬の種類、服用方法などの情報を表示するようにしたものが提案されている。
【０００６】
しかし、特許文献２,３に示されるものにおいても、使用後は、薬収容体がごみとして廃棄され、資源の無駄になる等の問題があった。
【０００７】
また、複数の診療機関に通院している患者の場合、各診療機関においてそれぞれ異なった薬が処方されて提供され、患者がそれぞれの診療機関に通院する場合に、それぞれの診療機関において発行された診察券と一緒に処方された薬を収容させる薬収容体を持って通院することがある。
【０００８】
しかし、このような場合、一般に各診療機関において発行された診察券と各診療機関において提供された薬を収容させた薬収容体とが別々に保管されているため、所定の診療機関に行く場合には、その診療機関の診察券とその診療機関において処方された薬を収容させた薬収容体とを探し出すことが必要になり、通院する際の準備が非常に面倒になると共に、異なる診療機関で提供された薬収容体を誤って持参するおそれもあった。
【特許文献１】特開２００２−２８４１８０号公報
【特許文献２】特開２００４−９０９９１号公報
【特許文献３】特開２００４−９０９９２号公報
【考案の開示】
【考案が解決しようとする課題】
【０００９】
この考案は、薬を収容させる薬収容体における上記のような様々な問題を解決することを課題とするものであり、薬収容体内に収容された薬の内容を簡単に確認できると共に、その薬が提供された診療機関の診察券と一緒に保管して持ち運びすることができ、また薬収容体内に収容させる薬の種類や、診療科や、使用者等が変更された場合においても、薬収容体を何度も使用できるようにすることを課題とするものである。
【課題を解決するための手段】
【００１０】
この考案においては、上記のような課題を解決するため、薬を収容させる薬収容体において、少なくとも収容させた薬の内容を表示するラベルを剥離可能に貼付させると共に、診察券を取り出し可能に収容させる診察券収容部を設けた。
【００１１】
ここで、この考案の薬収容体においては、使用している間に薬収容体が破損するのを防止するため、この薬収容体をプラスチックフィルムや布で構成することが好ましい。
【００１２】
また、この考案の薬収容体においては、種類の異なる複数の薬を分離させて収容させるために、この薬収容体に複数の薬収容部を設けることが好ましい。
【００１３】
そして、この考案の薬収容体において、少なくとも収容させた薬の内容を表示するラベルを剥離可能に貼付させると共に、診察券を取り出し可能に収容させる診察券収容部を設けるにあたっては、上記のラベルを薬収容体自体に剥離可能に貼付させると共に、薬収容体自体に診察券収容部を設けるようにする他、ラベルが剥離可能に貼付されると共に診察券収容部が設けられた補助部材を薬収容体に取り付けるようにすることができる。
【００１４】
また、この考案の薬収容体においては、その持ち運びを容易にするため、薬収容体を保持するための手提げ部を設けるようにすることができる。
【考案の効果】
【００１５】
この考案における薬収容体においては、少なくとも収容させた薬の内容を表示したラベルを剥離可能に貼付させると共に、診察券を取り出し可能に収容させる診察券収容部を設けたため、貼付されたラベルに表示された内容に基づいて、薬収容体内に収容された薬の内容を簡単に確認できると共に、この薬収容体に診察券を収容させることができるため、複数の診療機関に通院している患者の場合、各診療機関において発行された診察券と処方された薬とを一緒にして保管することができ、通院する際の準備が非常に簡単になると共に、異なる診療機関で提供された薬収容体を誤って持参するおそれもなくなる。
【００１６】
また、この考案の薬収容体においては、上記のようにラベルが剥離可能に貼付されているため、薬収容体内に収容させる薬の種類が変更された場合に、先のラベルを剥して別のラベルに貼り代えることが簡単に行え、また診察券収容部に収容させる診察券を変更させることもでき、薬収容体内に収容させる薬の種類や、診療科や、使用者等が変更された場合においても、この薬収容体を何度でも使用でき、薬収容体がごみとして廃棄されることが少なくなり、資源の無駄も少なくなる。
【００１７】
さらに、この考案の薬収容体をプラスチックフィルムや布で構成すると、使用している間に薬収容体が破損するのも防止される。
【考案を実施するための最良の形態】
【００１８】
以下、この考案の実施形態に係る薬収容体を添付図面に基づいて具体的に説明する。なお、この考案に係る薬収容体は、下記の実施形態に示したものに限定されるものではなく、その要旨を変更しない範囲において適宜変更して実施できるものである。
【００１９】
（実施形態１）
実施形態１においては、図１及び図２に示すように、薬収容体１０を抗菌性のプラスチックフィルムで封筒状に構成し、この封筒状になった薬収容体１０の上端の開口部分を蓋部１１によって開閉できるようにし、この蓋部１１の先端に設けられた差込部１１ａを薬収容体１０に設けられた切込み１２に差し込んで、薬収容体１０の上端の開口部分を閉塞させるようにしている。
【００２０】
そして、この薬収容体１０においては、図２に示すように、封筒状になった薬収容体１０の内部に仕切り部材１３を設けて複数の薬収容部１４を形成し、各薬収容部１４に種類の異なる複数の薬を分離させて収容させるようにしている。なお、上記の薬収容部１４には、薬の他に薬手帳等を収容させることも可能である。
【００２１】
また、このように封筒状になった薬収容体１０の片面に、上記の各薬収容部１４に収容させた薬の種類，用法や、患者の氏名等を表示したラベルＲを剥離可能に貼付させると共に、表面が透明になった診察券収容部１５を設け、この診察券収容部１５に診療機関において発行された診察券Ｘを取り出し可能に収容させるようにしている。
【００２２】
なお、この実施形態の薬収容体１０においては、封筒状になった表面全体が抗菌性のプラスチックフィルムで構成されているため、ラベルＲを薬収容体１０の表面の適当な位置に剥離可能に貼付させることができ、例えば、このラベルＲを上記の診察券収容部１５と反対側の面に剥離可能に貼付させることもできる。
【００２３】
そして、この実施形態の薬収容体１０は、一般に、処方期間が短く、処方される薬の種類が少ない場合に好適に利用することができる。
【００２４】
（実施形態２）
実施形態２においては、図３〜図５に示すように、薬収容体２０を抗菌性のプラスチックフィルムで横長の長方形状に形成し、この薬収容体２０の長手方向の一端に差込部２1を側方に突出するように設けると共に、この薬収容体２０の長手方向に所要間隔を介して複数の折り目線２２を設け、この各折り目線２２において上記の薬収容体２０を折り畳むようにしており、この実施形態においては、両側部２０ａを中央部２０ｂに向けて折り返して、３つ折り状態になるようにしている。なお、この薬収容体２０の長さをさらに長くして、さらに数多く折り畳むようにすることも可能である。
【００２５】
そして、この薬収容体２０においては、図３に示すように、上記のように薬収容体２０を折り畳んだ状態で、上記の差込部２1が設けられた薬収容体２０の長手方向の一端部を折り目線２２において折り曲げ、この差込部２1を薬収容体２０に設けられた切込み２３に差し込み、折り畳まれた薬収容体２０が勝手に開くのを防止するようにしている。
【００２６】
また、この薬収容体２０においては、図４に示すように、上記の両側部２０ａ及び中央部２０ｂの片面に、それぞれポケット状になった複数の薬収容部２４を設けると共に、必要に応じて、薬収容部２４に小分け用の仕切り２４ａを設け、各薬収容部２４に種類の異なる複数の薬を分離させて収容させるようにしている。
【００２７】
また、上記の各薬収容部２４よりも上方の位置に、透明なシートからなるカバー部材２５を各薬収容部２４の上を覆うようにして開閉可能に取り付け、各薬収容部２４に収容させた薬がこの薬収容部２４がこぼれ落ちるのを防止すると共に、各薬収容部２４に収容された薬の種類をこのカバー部材２５を通して確認できるようにしている。なお、上記の薬収容部２４には、薬の他に薬手帳等を収容させることも可能である。
【００２８】
また、図３に示すように薬収容体２０を折り畳んだ状態で外部に現れる面、すなわち、この薬収容体２０における中央部２０ｂの薬収容部２４と反対側の面に、図５に示すように、上記の各薬収容部２４に収容させた薬の種類，用法や、患者の氏名等を表示したラベルＲを剥離可能に貼付させると共に、表面が透明になった診察券収容部２６を設け、この診察券収容部２６に診療機関において発行された診察券Ｘを取り出し可能に収容させるようにしている。
【００２９】
また、この実施形態の薬収容体２０も、抗菌性のプラスチックフィルムで構成されているため、ラベルＲを薬収容部２４が設けられた面と反対側の面のどの位置にも剥離可能に貼付することができ、例えば、上記のように薬収容体２０を折り畳んだ状態で外部に現れる診察券収容部２６と反対側の面、すなわち差込部２1が設けられた薬収容体２０の側部２０ａにおける薬収容部２４が設けられた面と反対側の面に、ラベルＲを剥離可能に貼付させることもできる。また、診察券収容部２６も、図５に示した外側に現れる面とは異なった外側に現れる面に設けることもできる。
【００３０】
そして、この実施形態の薬収容体２０は、一般に、処方期間が短く、処方される薬の種類が多い場合に好適に利用することができる。
【００３１】
（実施形態３）
実施形態３においては、図６〜図８に示すように、薬収容体３０を抗菌性の不織布を用いてバック状に形成し、このバック状になった薬収容体３０の上端の開口部分にファスナー３１を取り付けて開閉できるようにすると共に、この薬収容体３０の表裏両面の上部側にそれぞれ手提げ部３２を設けている。
【００３２】
そして、この薬収容体３０においては、図８に示すように、バック状になった薬収容体３０の内部に仕切り部材３３及び補助仕切り部材３３ａを設けて複数の薬収容部３４を形成し、各薬収容部３４に種類の異なる複数の薬を分離させて収容させるようにしている。なお、上記の薬収容部３４には、薬の他に薬手帳等を収容させることも可能である。
【００３３】
そして、このバック状になった薬収容体３０の片面に、図６に示すように、プラスチックフィルムで構成されたラベル貼付部３５を設け、このラベル貼付部３５に薬収容体３０に収容させる薬の種類，用法や、患者の氏名等を表示したラベルＲを剥離可能に貼付させると共に、このラベル貼付部３５の上部側に不透明なシートからなるカバー部材３６をラベルＲの上を覆うようにして開閉可能に取り付け、ラベルＲに表示された内容が勝手に見られないようにしている。
【００３４】
また、このバック状になった薬収容体３０において、ラベルＲが貼付される面と反対側の面に、図７に示すように、表面が透明になった診察券収容部３７を設け、この診察券収容部３７に診療機関において発行された診察券Ｘを取り出し可能に収容させるようにしている。
【００３５】
なお、この実施形態の薬収容体３０においては、診察券収容部３７を、ラベルＲが貼付される面と反対側の面に設けたが、ラベルＲが貼付される面と同じ面に設けることも当然可能である。
【００３６】
そして、この実施形態の薬収容体３０は、一般に、処方期間が長く、処方される薬の種類が少ない場合に好適に利用することができる。
【００３７】
（実施形態４）
実施形態４においては、図９及び図１０に示すように、薬収容体４０を抗菌性の不織布を用いてバック状に形成し、このバック状になった薬収容体４０の表裏両面の上部側にそれぞれ手提げ部４１を設けている。なお、この実施形態の薬収容体４０においては、その上端の開口部分を開けた状態にしているが、ファスナー等を設けて、薬収容体４０の上端の開口部分を開閉できるようにすることも可能である。
【００３８】
そして、この薬収容体４０においては、バック状になった薬収容体４０の内部の薬収容部４２に、図１１に示すように、複数の仕切り部材４３ａを設けた薬収容体４３を複数段（図に示す例では２段）積み重ね、複数の仕切り部材４３ａによって区分けされた各薬収容体４３に種類の異なる複数の薬を分離させて収容させるようにしている。
【００３９】
また、このバック状になった薬収容体４０においては、その片面にポケット４４を設け、このポケット４４に薬手帳等を収容させるようにしている。
【００４０】
さらに、このバック状になった薬収容体４０においては、補助部材４５の片面に、表面が透明になった診察券収容部４６を設け、この診察券収容部４６に診療機関において発行された診察券Ｘを取り出し可能に収容させるようにすると共に、この補助部材４５における診察券収容部４６と反対側の面に、プラスチック材料で構成されたラベル貼付部４７を設け、このラベル貼付部４７に薬収容体４０に収容させる薬の種類，用法や、患者の氏名等を表示したラベルＲを剥離可能に貼付させるようにしている。
【００４１】
そして、この薬収容体４０においては、上記の補助部材４５を吊下げ部材４８により薬収容体４０に設けられた一方の手提げ部４１に吊下げるようにし、このようにラベルＲが貼付されると共に診察券Ｘが収容された補助部材４５を必要としない場合には、この補助部材４５を薬収容体４０の内部の薬収容部４２に収容できるようにしている。
【００４２】
そして、この実施形態の薬収容体４０は、一般に、処方期間が長く、処方される薬の種類が多い場合に好適に利用することができる。
【図面の簡単な説明】
【００４３】
【図１】この考案の実施形態１に係る薬収容体において、封筒状になった薬収容体にラベルを剥離可能に貼付させると共に、診察券収容部に診察券を取り出し可能に収容させ、薬収容体の上端の開口部分を蓋部によって閉塞させた状態を示した概略説明図である。
【図２】上記の実施形態１に係る薬収容体において、薬収容体の上端の開口部分を開けた状態を示した概略説明図である。
【図３】この考案の実施形態２に係る薬収容体において、横長の長方形状になった薬収容体の両側部を中央部に向けて折り返して３つ折り状態にし、この薬収容体にラベルを剥離可能に貼付させると共に、診察券収容部に診察券を取り出し可能に収容させた状態を示した概略説明図である。
【図４】上記の実施形態２に係る薬収容体において、薬収容体の両側部及び中央部の片面に、それぞれポケット状になった複数の薬収容部を形成した状態を示した概略展開図である。
【図５】上記の実施形態２に係る薬収容体において、薬収容体の中央部における薬収容部と反対側の面に、ラベルを剥離可能に貼付させると共に、診察券収容部に診察券を取り出し可能に収容させた状態を示した概略展開図である。
【図６】この考案の実施形態３に係る薬収容体において、バック状になった薬収容体の片面に設けたラベル貼付部にラベルを剥離可能に貼付させると共に、カバー部材をラベルの上を覆うようにして開閉可能に取り付けた状態を示した概略説明図である。
【図７】上記の実施形態３に係る薬収容体において、ラベルを剥離可能に貼付させた面と反対側の面に診察券収容部を設け、この診察券収容部に診察券を取り出し可能に収容させた状態を示した概略説明図である。
【図８】上記の実施形態３に係る薬収容体において、この薬収容体の上端を開口させて内部の状態を示した部分説明図である。
【図９】この考案の実施形態４に係る薬収容体において、バック状になった薬収容体の手提げ部に補助部材を吊下げ、この補助部材に設けた診察券収容部に診察券を取り出し可能に収容させた状態を示した概略説明図である。
【図１０】上記の実施形態４に係る薬収容体において、バック状になった薬収容体の手提げ部に吊下げた補助部材におけるラベル貼付部にラベルを剥離可能に貼付させた状態を示した概略説明図である。
【図１１】上記の実施形態４に係る薬収容体において、バック状になった薬収容体の内部の薬収容部に収容させる薬収容体を示した概略説明図である。
【符号の説明】
【００４４】
１０  薬収容体
１１  蓋部
１１ａ  差込部
１２  切込み
１３  仕切り部材
１４  薬収容部
１５  診察券収容部
２０  薬収容体
２０ａ  側部
２０ｂ  中央部
２１  差込部
２２  折り目線
２３  切込み
２４  薬収容部
２４ａ  仕切り
２５  カバー部材
２６  診察券収容部
３０  薬収容体
３１  ファスナー
３２  手提げ部
３３  仕切り部材
３３ａ  補助仕切り部材
３４  薬収容部
３５  ラベル貼付部
３６  カバー部材
３７  診察券収容部
４０  薬収容体
４１  手提げ部
４２  薬収容部
４３  薬収容体
４３ａ  仕切り部材
４４  ポケット
４５  補助部材
４６  診察券収容部
４７  ラベル貼付部
Ｒ  ラベル
Ｘ  診察券
【図１】
0003140972.tif 000003
【図２】
0003140972.tif 000004
【図３】
0003140972.tif 000005
【図４】
0003140972.tif 000006
【図５】
0003140972.tif 000007
【図６】
0003140972.tif 000008
【図７】
0003140972.tif 000009
【図８】
0003140972.tif 000010
【図９】
0003140972.tif 000011
【図１０】
0003140972.tif 000012
【図１１】
0003140972.tif 000013